(57)【要約】【課題】  ラベル貼付が必要な農産物にのみ個体ラベルを確実かつ効率的に貼付できて、農産物の個体の情報管理を効率良く行える農産物の個体情報管理システムを提供する。【解決手段】  搬送手段で搬送されてくる農産物に個体ラベルを貼付する個体ラベル貼付手段と、該個体ラベル貼付手段の前段に設けられ、搬送手段上を搬送される個々の農産物に対して個体ラベルを貼付するか否かを判定して判定信号を出力するラベル貼り要否判定手段と、を備え、ラベル貼り要否判定手段の判定信号に基づいて、個体ラベル貼付手段のラベル貼付動作を開始することを特徴とする。ラベル貼り要否判定手段は、農産物の仕分情報に応じてラベル貼り要否が予め設定されたラベル貼り要否設定部を有し、個体ラベル貼付手段の前段には、農産物の個体ラベルの貼付高さ位置を検出する高さ情報検出手段を設ける。【選択図】  図１
2005088962.tif 000002
【特許請求の範囲】
【請求項１】
農産物に貼付された個体ラベルの情報によって個々の農産物を管理する農産物の個体情報管理システムであって、
搬送手段で搬送されてくる農産物に個体ラベルを貼付する個体ラベル貼付手段と、該個体ラベル貼付手段の前段に設けられ、前記搬送手段上を搬送される個々の農産物に対して個体ラベルを貼付するか否かを判定して判定信号を出力するラベル貼り要否判定手段と、を備え、前記ラベル貼り要否判定手段の判定信号に基づいて、前記個体ラベル貼付手段のラベル貼付動作を開始することを特徴とする農産物の個体情報管理システム。
【請求項２】
前記ラベル貼り要否判定手段は、農産物の仕分情報に応じてラベル貼りの要否が予め設定されたラベル貼り要否設定部を有し、前記搬送手段上を搬送される受皿上の農産物について受皿と関連付けて記憶された農産物の仕分情報を読み出し、該読み出した仕分情報に応じて前記ラベル貼り要否設定部に設定されたラベル貼りの要否を判定することを特徴とする請求項１に記載の農産物の個体情報管理システム。
【請求項３】
前記個体ラベル貼付手段の前段に搬送手段上の計測手段で計測された受皿上の農産物のラベル貼付位置の高さを検出する高さ情報検出手段を設け、該高さ情報検出手段の検出結果に基づいて個体ラベル貼付手段の作動が制御されることを特徴とする請求項１または２に記載の農産物の個体情報管理システム。
【請求項４】
前記農産物が固有情報を有する受皿上に載置され、当該受皿の固有情報と受皿上の農産物の仕分情報を取得する仕分情報取得手段で取得された当該受皿上の農産物の仕分情報とが、関連付けられて管理されることを特徴とする請求項１ないし３のいずれかに記載の農産物の個体情報管理システム。
【請求項５】
前記ラベル貼り要否判定手段は、前記搬送手段上を搬送される受皿上の農産物について受皿の固有情報を読み取り、受皿の固有情報と関連付けて記憶された農産物の仕分情報を読み出すことを特徴とする請求項４に記載の農産物の個体情報管理システム。
【請求項６】
前記高さ情報検出手段は、前記仕分情報取得手段で取得された受皿上の農産物の仕分情報に基づいてラベル貼付位置の高さを検出することを特徴とする請求項３ないし５のいずれかに記載の農産物の個体情報管理システム。
【請求項７】
前記個体ラベル貼付手段の後段に配置され農産物に貼付した個体ラベルの貼付状態を検査する個体ラベル検査手段と、該個体ラベル検査手段により個体ラベルの貼付状態が不良と検査された際に当該農産物を前記ラベル貼り要否判定手段の前段に戻す個体ラベル補正手段とを設け、前記個体ラベル検査手段は、個体ラベルの貼付状態を検査する際に、前記ラベル貼り要否判定手段の判定信号に基づいて行うことを特徴とする請求項１ないし６のいずれかに記載の農産物の個体情報管理システム。
【請求項８】
前記農産物が載せられた受皿は、搬送手段上において前後不定間隔で搬送されることを特徴とする請求項１ないし７のいずれかに記載の農産物の個体情報管理システム。
【発明の詳細な説明】
【技術分野】
【０００１】
本発明は、メロンやリンゴ、トマト等の農産物の固有情報を管理するための個体ラベルを所定の農産物に確実に貼付できて、農産物の個体情報管理を効率的に行うことが可能な農産物の個体情報管理システムに関する。
【背景技術】
【０００２】
一般的に、物品に当該物品を管理するためのバーコードシール等の個体ラベルを貼付し、当該物品に関する情報（例えば仕分情報や生産者等の履歴情報）を管理することで、物品手配や品質管理等を行うことは、例えば食肉等の食品の流通分野等で知られている。また、農産物についても、選果場等において個々の農産物の情報を管理することが行われており、その具体的方法としては、例えば特許文献１に開示の「青果物の選別方法と装置」もしくは特許文献２に開示の「物品の情報管理装置及び情報管理方法」が提案されている。
【０００３】
特許文献１の選別装置は、固有番号が印刷されたバーコードを有する受皿に載せられた農産物を、第１の読取装置により当該受皿の固有情報が読み取られると共に、仕分情報検出手段により受皿上の農産物の仕分情報が検出され、この仕分情報が受皿の固有情報と対応して記憶される。そして、仕分けに際して、第２の読取装置により受皿の固有情報が読み取られこの固有情報と共に記憶されている仕分情報が読み出されて、この読み出された仕分情報に基づいて農産物が受皿毎に貯留コンベア上に仕分排出され、仕分けされた受皿上の農産物が箱詰めロボットや手作業によって受皿上から取り出されて箱詰めされるようになっている。
【０００４】
また、特許文献２の情報管理装置は、透明インク等で農産物等の物品自体に直接固有情報を付与し、この固有情報が付与された物品を計測装置で計測し、物品自体に付与された固有情報を検出して個々の物品の情報を管理するものであり、固有情報を透明インク等で直接物品に付与することで、固有情報が物品の計測の際に影響を及ぼさないようにしたものである。また、固有情報の付与ミスが発生した場合に、不良品を排除した後に音もしくは光を発する警報装置を設ける「印字不良製品排除装置」が特許文献３に開示されている。
【特許文献１】特許第２７３０７６５号公報
【特許文献２】特開２００１−３４７２２９号公報
【特許文献３】特許第２９０３１４８号公報
【発明の開示】
【発明が解決しようとする課題】
【０００５】
しかしながら、特許文献１の選別装置にあっては、第１の読取装置及び第２の読取装置によって選別ライン上の農産物が載せられた受皿の固有情報を読み取り、この読み取った固有情報により受皿上の農産物の情報を管理する方式であるため、選別ライン上に載せられている状態においては、受皿の固有情報を読み取ることで載せられている農産物の仕分情報を読み取ることは可能である。
【０００６】
ところが、受皿から取り出されて箱詰めされた後の農産物については、当該農産物が箱詰めされた段ボール箱に品種や等階級あるいは産地等が表示されるものの、個々の農産物に表示がないことから、農産物を段ボール箱から取り出してしまうと個々の品質等を把握することができないばかりか、他の異なる品種のものと混在しないように別途管理する必要性が生じる。また、選別ライン上においても、受皿から取り出されてしまうと個々の農産物を管理することが困難で、この選別装置においては、農産物の個体情報管理を確実かつ効率的に行うことが難しいという問題点を有している。
【０００７】
一方、特許文献２の情報管理装置にあっては、透明インク等を物品の表面に直接付与するため、例えば物品が果実、野菜等のような農産物の場合に、その表面に凹凸があるなど一様でないことから読み取りミスが生じ易くなると共に、情報量が多い場合に固有情報付与のための所定のスペースが必要となり、農産物の大きさに制限を受けたり付与ミスも発生し易い。
【０００８】
また、固有情報が透明のインク等で形成されるため、固有情報が視認されず、段ボール箱から取り出す際に、固有情報が消えないように注意する必要があると共に、固有情報が消えたりあるいは読み取りができない状態を招く虞がある。さらに、透明インク等の付与ミス時に、付与されたインクが視認されないため、ふき取り作業に時間がかかり、これらのことから、物品の固有情報の付与作業を含めた管理作業が面倒になると共に、確実かつ効率的な管理作業を行うことが難しいという問題点を有している。
【０００９】
ところで、特許文献２の情報管理装置において、特許文献３のように、固有情報の付与ミスが発生した場合に、不良品を排除した後に音もしくは光を発する警報装置を設けることも考えられるが、このような装置の場合、ラベルが貼ってあるか否かを単に検査して警報を発するのみであることから、搬送ライン上でラベル貼りが行われた後に、ラベルが貼ってないものについて再度貼り直しを自動的に行うことはできず、物品の固有情報の管理を効率的に行うことは依然として困難である。
【００１０】
本発明は、このような事情に鑑みてなされたもので、その目的は、ラベル貼付が必要な農産物にのみ個体ラベルを確実かつ効率的に貼付できて、農産物の個体の情報管理を効率良く行える農産物の個体情報管理システムを提供することにある。また、他の目的は、前記目的に加え、ラベル貼付が必要とされた農産物への個体ラベルの貼り直し作業を自動的に行うことができる農産物の個体情報管理システムを提供することにある。
【課題を解決するための手段】
【００１１】
かかる目的を達成すべく、本発明のうち請求項１に記載の発明は、農産物に貼付された個体ラベルの情報によって個々の農産物を管理する農産物の個体情報管理システムであって、搬送手段で搬送されてくる農産物に個体ラベルを貼付する個体ラベル貼付手段と、該個体ラベル貼付手段の前段に設けられ、前記搬送手段上を搬送される個々の農産物に対して個体ラベルを貼付するか否かを判定して判定信号を出力するラベル貼り要否判定手段と、を備え、前記ラベル貼り要否判定手段の判定信号に基づいて、前記個体ラベル貼付手段のラベル貼付動作を開始することを特徴とする。
【００１２】
そして、前記ラベル貼り要否判定手段は、請求項２に記載の発明のように、農産物の仕分情報に応じてラベル貼りの要否が予め設定されたラベル貼り要否設定部を有し、前記搬送手段上を搬送される受皿上の農産物について受皿と関連付けて記憶された農産物の仕分情報を読み出し、該読み出した仕分情報に応じて前記ラベル貼り要否設定部に設定されたラベル貼り要否を判定することを特徴とする。
【００１３】
また、請求項３に記載の発明は、前記個体ラベル貼付手段の前段に搬送手段上の計測手段で計測された受皿上の農産物のラベル貼付位置の高さを検出する高さ情報検出手段を設け、該高さ情報検出手段の検出結果に基づいて個体ラベル貼付手段の作動が制御されることを特徴とする。
【００１４】
また、請求項４に記載の発明は、前記農産物が固有情報を有する受皿上に載置され、当該受皿の固有情報と受皿上の農産物の仕分情報を取得する仕分情報取得手段で取得された当該受皿上の農産物の仕分情報とが、関連付けられて管理されることを特徴とする。
【００１５】
また、請求項５に記載の発明は、前記ラベル貼り要否判定手段が、前記搬送手段上を搬送される受皿上の農産物について受皿の固有情報を読み取り、受皿の固有情報と関連付けて記憶された農産物の仕分情報を読み出すことを特徴とする。
【００１６】
また、請求項６に記載の発明は、前記高さ情報検出手段が、前記仕分情報取得手段で取得された受皿上の農産物の仕分情報に基づいてラベル貼付位置の高さを検出することを特徴とする。
【００１７】
また、請求項７に記載の発明は、前記個体ラベル貼付手段の後段に配置され農産物に貼付した個体ラベルの貼付状態を検査する個体ラベル検査手段と、該個体ラベル検査手段により個体ラベルの貼付状態が不良と検査された際に当該農産物を前記ラベル貼り要否判定手段の前段に戻す個体ラベル補正手段とを設け、前記個体ラベル検査手段は、個体ラベルの貼付状態を検査する際に、前記ラベル貼り要否判定手段の判定信号に基づいて行うことを特徴とする。
【００１８】
さらに、請求項８に記載の発明は、前記農産物が載せられた受皿が、搬送手段上において前後不定間隔で搬送されることを特徴とする。
【発明の効果】
【００１９】
先ず、請求項１に記載の発明によれば、ラベル貼り要否判定手段のラベル貼りの要否に関する判定信号に基づいて、個体ラベル貼付手段のラベル貼付動作が開始されるため、ラベル貼り要と判定された農産物にのみ個体ラベル貼付手段のラベル貼付動作で個体ラベルを確実かつ効率的に貼付できて、個々の農産物の個体管理をこの個体ラベルに基づいて効率良く行うことができる。
【００２０】
また、請求項２に記載に発明によれば、請求項１に記載の発明の効果に加え、ラベル貼り要否判定手段が、受皿と関連付けて記憶された農産物の仕分情報に応じて、ラベル貼り要否設定部に設定されたラベル貼りの要否のいずれかを選択して判定するため、予めラベル貼り要否設定部に設定された仕分情報に応じた要否に基づき受皿上の農産物に個体ラベルを貼付できて、ラベル貼り要と設定された農産物に個体ラベルを一層確実に貼付することができる。
【００２１】
また、請求項３に記載の発明によれば、請求項１または２に記載の発明の効果に加え、農産物の高さ情報が高さ情報検出手段で検出されて個体ラベル貼付手段に出力され該貼付手段の作動が制御されるため、個体ラベル貼付手段のラベル貼付位置を農産物の高さ情報に応じて的確に設定することができて、個体ラベルを農産物の所定位置に確実かつ良好に貼付することができる。
【００２２】
また、請求項４に記載の発明によれば、請求項１ないし３に記載の発明の効果に加え、農産物が固有情報を有する受皿上に載置され、当該受皿の固有情報と受皿上の農産物の仕分情報を取得する仕分情報取得手段で取得された当該受皿上の農産物の仕分情報とが、関連付けられて管理されるため、受皿の固有情報と当該受皿上の農産物の仕分情報とを確実にリンク等させることができて、個々の農産物を確実に管理することができる。
【００２３】
また、請求項５に記載の発明によれば、請求項４に記載の発明の効果に加え、ラベル貼り要否判定手段が、搬送手段上を搬送される受皿上の農産物について受皿の固有情報を読み取り、受皿の固有情報と関連付けて記憶された農産物の仕分情報を読み出すため、受皿の固有情報と農産物の仕分情報とをリンク等させた状態で確実に読み出すことができて、個々の農産物を一層確実に管理することができる。
【００２４】
また、請求項６に記載の発明によれば、請求項３ないし５に記載の発明の効果に加え、高さ情報検出手段が、仕分情報取得手段で取得された受皿上の農産物の仕分情報に基づいてラベル貼付位置の高さを検出するため、農産物のラベル貼付位置を正確に検出できて、個体ラベルを所定位置に一層確実に貼付することができる。
【００２５】
また、請求項７に記載の発明によれば、請求項１ないし６に記載の発明の効果に加え、個体ラベル検査手段で個体ラベルの貼付状態が不良の場合にラベル貼り要否判定手段の前段に戻す個体ラベル補正手段が設けられているため、貼付状態が不良の農産物を前方の所定位置に戻して個体ラベルを再貼付できて、個体ラベルの自動貼り直しが可能となり、ラベル貼付作業を一層効率的に行うことができると共に、個体ラベル検査手段の検査がラベル貼り要否判定手段の判定信号に基づいて行われるため、個体ラベル検査手段をラベル貼りが必要な農産物についてのみ作動させて検査でき、該検査手段を効率的に作動させることができる。
【００２６】
さらに、請求項８に記載の発明によれば、請求項１ないし７に記載の発明の効果に加え、農産物が載せられた受皿が搬送手段上を不定間隔で搬送されるため、搬送手段を例えばフリートレイ式に構成できて、搬送手段による農産物の搬送効率を高めることができ、選別作業等の能率向上を図ることができる。
【発明を実施するための最良の形態】
【００２７】
以下、本発明の実施の形態を図面に基づいて詳細に説明する。
図１〜図６は、本発明に係わる農産物の個体情報管理システムを選別装置に適用した場合の一実施形態を示し、図１がその概略構成図、図２がその演算処理装置の記憶部の一例を示す説明図、図３がラベル信号制御装置の設定部の一例を示す説明図、図４が農産物が載せられた受皿の正面図、図５がその農産物の正面図、図６が個体情報管理システムを使用した農産物の流通経路の一例を示す説明図である。
【００２８】
図１において、選別装置１は、農産物Ｗを上流側から下流側に向けて矢印イの如く搬送する選別コンベア２（搬送手段）を有し、この選別コンベア２はフリートレイ式に構成され、農産物Ｗが載せられた受皿３が前後方向に不定間隔で搬送されるようになっている。そして、この選別コンベア２の上流側の計測位置には、受皿３上の農産物Ｗを計測する計測装置４（計測手段）が配置されると共に、受皿３に付与された固有情報としてのバーコード５を読み取るバーコードリーダ等からなる受皿情報読取装置６が配置されている。なお、受皿３は、例えば中央部分に凹状の載部開口を有する円筒形状に形成され、個々の受皿３の外周面にバーコードシールが貼着されることによって、それぞれ異なる番号からなる前記バーコード５が付与されている。
【００２９】
また、前記計測装置４は、受皿３上の農産物Ｗに光を照射しその反射光や透過光等によって当該農産物Ｗの外観や内部品質等を計測する計測装置を有し、この計測装置で撮像された画像データ（計測データ）が演算処理装置７に入力されて適宜に処理されることにより、撮像した農産物Ｗの等級や階級（等階級という）等の仕分情報が判定（計測）されるようになっている。なお、演算処理装置７は、ＣＰＵ等の演算処理部（図示せず）と記憶部７ａを有し、記憶部７ａに、演算処理装置７で判定された農産物Ｗの等階級や受皿情報読取装置６で読み取られたバーコード５等が、例えば図２に示す形態で後述する如く記憶されるようになっている。なお、演算処理装置７には、前記受皿情報読取装置６が接続されると共に、インターネットでアクセス可能な例えば選別装置１が設置される選果場のホストコンピュータ等のデータベース８、後述するラベル信号制御装置１７及び仕分制御装置２１等が接続されている。
【００３０】
前記選別コンベア２の計測装置４の下流側のラベル貼付位置には、ラベル貼付装置１０（個体ラベル貼付手段）が配置され、このラベル貼付装置１０は、例えば回転可能で矢印ロの如く上下動可能な複数のラベル貼付部（図示せず）を有している。そして、このラベル貼付装置１０は貼付機制御装置１１に接続され、該貼付機制御装置１１の制御信号により、そのラベル貼付部が回転したり上下動して受皿３上の農産物Ｗの表面に所定圧で当接することで、個体ラベル１２が農産物Ｗの表面のラベル貼付位置に貼付されるようになっている。
【００３１】
なお、ラベル貼付装置１０は回転及び上下動式に限らず、農産物Ｗの表面に個体ラベル１２を貼付できる適宜構成の貼付装置を使用できるし、選別コンベア２に対して一台の設置に限らず、例えば搬送方向イに沿って複数台（例えば２台）並設することもできる。このラベル貼付装置１０を複数台並設する場合は、複数台のうちのいずれか一台のラベル貼付装置１０を作動させることにより、個体ラベル１２の交換作業時の選別コンベア２の停止を防止することもできるし、受皿３の搬送と複数台のラベル貼付装置１０の作動を関連付けることにより、個体ラベル１２の貼付作業の作業効率の向上（スピードアップ）を図ることもできる。
【００３２】
そして、このラベル貼付装置１０の上流側で前記計測装置４の下流側には、ラベル貼りの要否を判定するための要否判定用読取装置１３（ラベル貼り要否判定手段）と受皿３上の農産物Ｗの高さ情報を検出する高さ検出装置１４（高さ情報検出手段）が配置され、ラベル貼付装置１０の下流側には、農産物Ｗに貼付される個体ラベル１２の貼付状態を検査するラベル検査装置１５（個体ラベル検査手段）が配置されると共に、ラベル検査装置１５の下流側と要否判定用読取装置１３の上流側との間にはラベル補正装置１６（ラベル補正手段）が配置されている。
【００３３】
すなわち、前記要否判定用読取装置１３は、農産物Ｗが載せられた受皿３のバーコード５を読み取るバーコードリーダ等で構成され、その読取信号がラベル信号制御装置１７（ラベル貼り要否判定手段）に出力されるようになっている。そして、この要否判定用読取装置１３で読み取られた選別コンベア２の要否判定位置の受皿３のバーコード５（受皿情報）は、ラベル信号制御装置１７に入力され、該ラベル信号制御装置１７によって当該受皿３上の農産物Ｗに個体ラベル１２を貼る必要があるか否か（ラベル貼り要否）が判定されるようになっている。なお、ラベル信号制御装置１７は、内部にラベル貼り要否を設定するための設定部１７ａ（ラベル貼り要否設定部）を有し、この設定部１７ａには、図３に示すように、演算処理装置７で判定された等階級等の各仕分情報に対応して、個体ラベル１２の貼付要否が図示しない入力装置の入力操作によって予め設定されている。このラベル貼付要否については、例えば下位の等級（格外）や小玉の農産物に個体ラベル１２を貼付しないように設定することができる。
【００３４】
また、前記高さ検出装置１４は、例えば下方に向けてレーザ光を照射しその反射光により農産物Ｗのラベル貼付位置の高さ寸法（高さ情報）を検出するレーザ高さ検出機等で構成されている。そして、この高さ検出装置１４の動作は、例えば貼付機制御装置１１によって制御されて、下方に指向して照射されるレーザ光を農産物Ｗ（受皿３）の中心から所定距離ずれたラベル貼付位置（例えば果物の果梗から少し離れた肩部）にスポット的に照射することにより、外形形状が異なる各農産物Ｗのラベル貼付位置の高さ情報（高さ寸法）を正確に捕らえるようになっている。
【００３５】
なお、高さ検出装置１４を固定的に配置しなくても、例えば貼付機制御装置１１による制御の際に、計測装置４の計測で得られた仕分情報のうち大きさを示す例えば階級情報に基づいて、各農産物Ｗのラベル貼付位置の高さ情報を検出し、この高さ情報を貼付機制御装置１１に送ることもできる。また、高さ検出装置１４はレーザ高さ検出機に限らず、例えば側方から赤外線等の光を照射することで農産物Ｗの高さを検出する他の適宜の高さ検出装置を使用することもできる。
【００３６】
さらに、前記ラベル検査装置１５は、受皿３上の農産物Ｗに貼付された個体ラベル１２の情報（後述する個体番号１２ａ）を読み取るバーコードリーダ等で構成され、その読取信号が前記ラベル信号制御装置１７に出力されるようになっている。また、ラベル検査位置には、ラベル検査装置１５に対応して当該検査位置の受皿３のバーコード５を読み取るバーコードリーダ等からなる受皿情報読取装置１８が配置され、この受皿情報読取装置１８の読取信号も前記ラベル信号制御装置１７に入力されるようになっている。
【００３７】
そして、このラベル検査装置１５は、検査位置の受皿３上の農産物Ｗに個体ラベル１２の貼付が必要であるにも係わらず、ラベル貼付装置１０の貼付ミス等により個体ラベル１２が貼付されていない場合あるいは貼付された個体ラベル１２の読み取りが不可能な場合に、ラベル信号制御装置１７から、後述するラベル補正装置１６の排出装置１６ｂに作動信号を出力するようになっている。
【００３８】
前記ラベル補正装置１６は、選別コンベア２の要否判定用読取装置１３の上流側で計測装置４の下流側と、選別コンベア２のラベル検査装置１５の下流側との間に配置されて矢印ハの如く農産物Ｗが載せられた受皿３を搬送する戻しコンベア１６ａと、この戻しコンベア１６ａの上流側であるラベル検査装置１５の下流側の選別コンベア２に配置された排出装置１６ｂ等を有している。そして、排出装置１６ｂが前記ラベル信号制御装置１７からの制御信号（後述する再貼付信号）で作動することにより、選別コンベア２上の受皿３が戻しコンベア１６ａの上流側に押し出されて供給され、この戻しコンベア１６ａで選別コンベア２の上流側（戻しコンベア１６ａの下流側）に搬送されて、選別コンベア２の要否判定用読取装置１３の直前に所定のタイミングで供給されるようになっている。
【００３９】
なお、前記ラベル信号制御装置１７は、前記設定部１７ａの他に図示しない演算処理部（ＣＰＵ）や記憶部等を有して前記演算処理装置７に接続され、該演算処理装置７から後述する如くリンクされた受皿情報（受皿３のバーコード情報）と仕分情報とが入力されると共に、前記データベース８に接続されて、リンクされた受皿情報と個体ラベル情報とを当該データベース８に出力するようになっている。また、前記データベース８には、前記演算処理装置７から受皿３のバーコード情報と仕分情報とが対応して入力されるようになっている。以上により、データベース８において、受皿３のバーコード情報を基に仕分情報と個体ラベル情報とを対応（リンク）して記憶することができる。さらに、ラベル信号制御装置１７は、貼付機制御装置１１にラベル貼り要否信号を出力すると共に、前記ラベル検査装置１５からの検査信号（個体ラベル１２の読取信号）の入力を受けて、ラベル貼付状態の良否を判定するようになっている。つまり、ラベル信号制御装置１７は、ラベル貼り要否の判定と貼付された個体ラベル１２の良否判定を併行して行うことになる。
【００４０】
前記選別コンベア２の排出装置１６ｂの下流側の仕分位置の最始端側には、仕分用の受皿情報読取装置１９が配置され、この受皿情報読取装置１９の下流側に、排出装置２０ａをそれぞれ有する等階級別の貯留コンベア２０が配置されている。この貯留コンベア２０は、その搬送方向ニが例えば選別コンベア２の搬送方向イと直交する方向に指向する状態で複数条配置されている。この各貯留コンベア２０の始端側に設けられた排出装置２０ａは、前記演算処理装置７に接続された仕分制御装置２１の制御信号（仕分排出信号）によって作動するようになっている。
【００４１】
そして、前記仕分位置の受皿情報読取装置１９で農産物Ｗが載せられた所定の受皿３のバーコード５が読み取られると、この読み取った受皿３のバーコード５に対応した農産物Ｗの等階級が仕分制御装置２１によって演算処理装置７の記憶部７ａから読み出され、その等階級に応じた排出装置２０ａが作動するように仕分制御装置２１から所定の仕分排出信号が出力される。なお、貯留コンベア２０の下流側には、例えば図示しない箱詰めロボットが配置されて、所定量貯留された受皿３上の等階級毎の農産物Ｗを取り上げて段ボール箱内に箱詰めするか、あるいは人手によって等階級毎の農産物Ｗが段ボール箱に箱詰めされるようなっている。
【００４２】
また、選別コンベア２の計測位置、要否判定位置、高さ情報検出位置、ラベル検査位置、及び仕分位置には、選別コンベア２上の受皿３の有無を検出する図示しないセンサがそれぞれ配置されている。そして、このセンサで受皿３を検出した際に、各位置において所定の動作（計測動作、要否判定動作、高さ情報検出動作、ラベル検査動作及び仕分動作）が行われ、これらの各動作は、演算処理装置７や各制御装置１１、１７、２１等の指令によって実行されるようになっている。すなわち、例えば計測動作は演算処理装置７によって、要否判定動作とラベル検査動作はラベル信号制御装置１７によって、また、高さ情報検出動作は貼付機制御装置１１によって、さらに、仕分動作は仕分制御装置２１によって実行される。
【００４３】
なお、演算処理装置７の記憶部７ａへの各種情報の記憶と同時に当該データがデータベース８に送信され、データベース８の記憶部（図示せず）にも記憶されるようになっている。また、以上の例においては、図２に示すような形態で各種情報を記憶可能な記憶部７ａを、演算処理装置７内に構築したが、記憶部７ａと同一形態の記憶部を例えば演算処理装置７と通信回線等で接続されたデータベース８やラベル信号制御装置１７の記憶部内に構築することも可能である。また、演算処理装置７とデータベース８及びラベル信号制御装置１７等の制御装置は、別体構成に限らず、例えば演算処理装置７とデータベース８等とを一体化することもできるし、記憶部７ａへの各情報の記憶形態や設定部１７ａの設定形態等も一例であって、適宜に変更することができる。
【００４４】
ラベル貼り要で貼付済みの農産物Ｗが載せられた受皿３は、図４に示すように、受皿３にバーコード５が付与され、農産物Ｗの表面のラベル貼付位置には個体ラベル１２が貼付されている。この時、農産物Ｗに貼付される個体ラベル１２の情報としては、例えば図５に示すように、個体番号１２ａとインターネットのホームページのアドレス（ＵＲＬという）１２ｂと、農産物Ｗが選別された選果場番号１２ｃ等が使用され、これらがラベルに所定のインキによって印刷されている。
【００４５】
次に、この選別装置１における農産物Ｗの具体的な個体情報管理の一例について説明する。選果場に所定の生産者から所定数の農産物Ｗが搬入されると、例えば選別コンベア２の始端側に設けられた図示しない入力装置によって、生産者名、収穫日、選果日（搬入日）、ほ場、品種あるいは品目、個数等の荷口に関する情報（荷受情報）が入力され、この荷受情報は、図２に示すように、前記演算処理装置７内に設けた記憶部７ａの第３記憶部７ａ−３に書込データ３のようにして記憶される。
【００４６】
選別コンベア２に投入される農産物Ｗの荷受情報が入力されると、当該農産物Ｗが選別コンベア２の始端側の受皿３上に一個ずつ例えば作業者によって載せられ、この農産物Ｗが載せられた受皿３は選別コンベア２によって下流側に搬送される。この時、選別コンベア２がフリートレイ式に構成されていることから、受皿３は選別コンベア２上を前後不定間隔で搬送されることになる。そして、この受皿３が計測位置まで搬送されると、受皿情報読取装置６で受皿３のバーコード５が読み取られ、前記記憶部７ａの第１記憶部７ａ−１のアドレスメモリに記憶される。
【００４７】
また、計測位置まで搬送された受皿３上の農産物Ｗは、計測装置４で外観や内部品質が計測され、この計測データが演算処理装置７に入力されて農産物Ｗの等級、階級、糖度等が判定される。そして、この判定された等級、階級等（仕分情報）が、前記読み取った受皿３のバーコード５（受皿情報）と対応させて前記記憶部７ａの第１記憶部７ａ−１に書込データ１のように記憶される。これにより、前記演算処理装置７で判定された仕分情報が、当該農産物Ｗが載せられた受皿３の受皿情報に一対一で対応した状態（リンク状態という）で所定のアドレスメモリに書き込まれ、例えば図２に示すように、バーコード５が「０００３」の受皿３上に載せられた農産物Ｗの等級が「秀」で階級が「Ｍ」で糖度が「１４度」の場合は、アドレスメモリの番号「０００３」の欄に「秀」「Ｍ」「１４度」として記憶されることになる。
【００４８】
このようにして記憶部７ａの第１記憶部７ａ−１にその仕分情報が記憶された農産物Ｗを載せた受皿３は、選別コンベア２で下流側に搬送されて、要否判定位置まで搬送される。この要否判定位置まで搬送された受皿３上の農産物Ｗは、受皿３のバーコード５が要否判定用読取装置１３で読み取られ、その読取信号がラベル信号制御装置１７に入力されて個体ラベル貼りが必要か必要でないか、すなわちラベル貼り要否が判定され、ラベル貼りが必要な場合は「要」信号を、またラベル貼りが必要でない場合は「否」信号を貼付機制御装置１１に出力する。
【００４９】
このラベル信号制御装置１７におけるラベル貼り要否の判定は、演算処理装置７から出力されてラベル信号制御装置１７内の図示しない記憶部に記憶されている仕分情報のうち、要否判定用読取装置１３で読み取った受皿５のバーコード５に対応した仕分情報について、予めその設定部１７ａに記憶されている各仕分情報に対応した「要」信号もしくは「否」信号を選択することによって行われる。
【００５０】
すなわち、図２において、バーコード５が「０００２」の受皿３を要否判定用読取装置１３で読み取った場合は、この「０００２」の仕分情報が「秀」「Ｌ」であることを読み出し、図３に示すように、等級・階級である「秀」「Ｌ」に応じた「要」信号が選択され、バーコード５が「０００６」の受皿３を要否判定用読取装置１３で読み取った場合は、「秀」「Ｓ」に応じた「要」信号が、また、バーコード５が「０００７」の受皿３を要否判定用読取装置１３で読み取った場合は、「良」「２Ｌ」に応じた「否」信号が選択される。なお、図３のラベル貼り要否設定部は一例であって、設定部に記載はないが、例えば格外の等級についてのみラベル貼り「否」と設定することもできるし、特に小玉ついてラベル貼りを「否」と設定し、他は全て「要」と設定することもできる。
【００５１】
そして、要否判定位置でラベル貼り要否が判定された受皿３上の農産物Ｗは、選別コンベア２上をさらに下流側に搬送されて高さ情報検出位置まで搬送される。この高さ情報検出位置まで搬送された受皿３上の農産物Ｗは、高さ検出装置１４により農産物Ｗのラベル貼付位置の高さ（選別コンベア２上の搬送面からの高さ、あるいはラベル貼付装置１０の基準位置からの高さ）が検出され、その高さ情報が貼付機制御装置１１に入力され、該貼付機制御装置１１でラベル信号制御装置１７から入力されるラベル要否判定信号とリンクされる。そして、要否判定位置及び高さ情報検出位置を通過した受皿３上の農産物Ｗは、選別コンベア２で搬送されてラベル貼付位置まで搬送され、ラベル貼り要と判定された受皿３の農産物Ｗの貼付位置（高さ）に、ラベル貼付装置１０の作動によって個体ラベル１２が貼付される。
【００５２】
このラベル貼付装置１０による農産物Ｗへの個体ラベル１２の貼付は、ラベル信号制御装置１７でラベル貼り要と判定されて「要」信号が貼付機制御装置１１に入力されると、該制御装置１１によってラベル貼付装置１０が作動、すなわち、所定の個体ラベル１２がセットされているラベル貼付部が、高さ検出装置１４で検出された高さ情報分だけ上下動することによって行われる。なお、このラベル貼付装置１０の作動開始のタイミングは、要否判定用読取装置１３による読み取りから、選別コンベア２の例えば搬送速度に同期した所定時間後に行われることで、要否判定用読取装置１３で読み取った受皿３上の農産物Ｗに、所定の個体ラベル１２が貼付されるようになっている。
【００５３】
一方、ラベル信号制御装置１７でラベル貼り否と判定された受皿３上の農産物Ｗは、ラベル貼付装置１０が作動せず、ラベル貼付位置をそのまま素通りして、下流側に搬送される。このラベル貼付が必要ない農産物Ｗの場合は、ラベル信号制御装置１７でラベル貼り否と判定され「否」信号が貼付機制御装置１１に入力された際に、高さ検出装置１４を作動させることなく高さ情報検出位置を素通りさせるが、高さ検出装置１４を作動状態としてその検出信号を無効とすることも可能である。
【００５４】
ラベル貼付位置で個体ラベル１２が貼付された受皿３上の農産物Ｗは、さらに下流側のラベル検査位置まで搬送され、該検査位置に設けられたラベル検査装置１５により、ラベル貼り要の受皿３上の農産物Ｗについて、貼付された個体ラベル１２の個体番号１２ａが読み取られる。このラベル検査装置１５で個体番号１２ａが正規に読み取られると、この読み取られた個体番号１２ａが、ラベル信号制御装置１７を介して演算処理装置７の記憶部７ａの第２記憶部７ａ−２に図２の書込データ２のように記憶される。
【００５５】
この時、ラベル検査装置１５で読み取られた農産物Ｗが載せられた受皿３のバーコード５が、ラベル検査装置１５と略同一位置に配置された受皿情報読取装置１８で読み取られ、この読み取られたバーコード５に対応した記憶部７ａの前記第１記憶部７ａ−１のアドレスメモリの番号位置に個体番号１２ａが記憶、すなわち個体番号１２ａが受皿３のバーコード５にリンク状態で記憶される。これにより、受皿３のバーコード５に、仕分情報と個体ラベル１２の個体番号１２ａ情報及び荷受情報とが、記憶部７ａの第１記憶部７ａ−１と第２記憶部７ａ−２と第３記憶部７ａ−３とにリンク状態で記憶されることになる。
【００５６】
ラベル検査装置１５でラベル貼り要にも係わらず当該農産物Ｗの個体ラベル１２の個体番号１２ａが読み取りできなかった場合、すなわち、ラベル貼付装置１０のラベル貼付ミス等で受皿３上の農産物Ｗに個体ラベル１２が貼付されていなかった場合、あるいは貼付されているものの貼付状態が不良でその個体番号１２ａ等の情報が正常に読み取りできな場合等には、これらを示す信号（ラベル貼付不良信号）がラベル信号制御装置１７に入力され、ラベル信号制御装置１７はこのラベル貼付不良信号の入力を受け再貼付信号を出力してラベル補正装置１６を作動させる。
【００５７】
このラベル補正装置１６の作動は、先ず、ラベル信号制御装置１７の再貼付信号で排出装置１６ｂが作動し、この排出装置１６ｂの作動で個体ラベル貼付不良の農産物Ｗを載せた受皿３が、選別コンベア２上から戻しコンベア１６ａの上流側に排出される。そして、この戻しコンベア１６ａに排出された受皿３上の農産物Ｗは、戻しコンベア１６ａによって下流側（選別コンベア２の戻り方向）に搬送され、選別コンベア２の計測位置と要否判定位置との間に例えば手動（もしくは自動的）供給されて戻される。
【００５８】
この時、戻しコンベア１６ａによる受皿３の選別コンベア２上への供給（戻し）は、選別コンベア２上を搬送されてくる前後の受皿３間に位置するように供給して、選別コンベア２を停止させることなく行うことが好ましいが、例えば自動的に供給する場合は、選別コンベア２を瞬間的に停止させてその間に選別コンベア２上に供給することも勿論可能である。この戻しコンベア１６ａにより選別コンベア２上に戻された農産物Ｗが載せられた受皿３は、再び要否判定用読取装置１３と高さ検出装置１４を介してラベル貼付装置１０に供給されて、受皿３上の農産物Ｗの表面に個体ラベル１２が貼付されて下流側に搬送され、仕分位置に供給されることになる。
【００５９】
一方、受皿３上の農産物Ｗがラベル貼り否の場合は、ラベル信号制御装置１７からラベル検査装置１５に作動信号が出力されず、該ラベル検査装置１５が非作動状態となって、受皿３上の農産物Ｗの個体ラベル１２の検査が省略され、受皿３はラベル検査位置を素通りして仕分位置に供給されることになる。
【００６０】
これにより、ラベル貼り要であるにも係わらず個体ラベル１２が貼付されていない農産物Ｗや、個体ラベル１２がラベル貼付位置よりずれて貼付されたり２枚貼りされて個体ラベル１２の個体番号１２ａ等が正規に読み取れない農産物Ｗ等が、補正作業により個体ラベル１２が正常に貼付されて選別コンベア２上を搬送され仕分位置まで搬送されることになり、ラベル貼付不良の農産物Ｗが仕分位置までそのまま搬送されることが確実に防止される。
【００６１】
なお、個体ラベル１２が農産物Ｗの表面にずれて貼付されたり２枚貼りされた場合は、ラベル補正装置１６の戻しコンベア１６ａ上で、当該個体ラベル１２が剥がされて、再び選別コンベア２上に供給されるが、この場合、農産物Ｗに個体ラベル１２が容易に視認される状態でかつ機械的に貼付されていることから、特許文献２に示すように透明インクを農産物Ｗの表面に直接印刷する場合等に比較して、その剥がし（修正）作業が簡単に行うことができる。
【００６２】
そして、このようにして個体ラベル１２が確実に貼付された農産物Ｗが載せられた受皿３は、選別コンベア２で搬送されて仕分位置まで搬送され、受皿情報読取装置１９により受皿３のバーコード５が読み取られ、次のようにして各貯留コンベア２０上に仕分貯留される。すなわち、受皿情報読取装置１９で受皿３のバーコード５が読み取られると、該バーコード５に対応した記憶部７ａの第１記憶部７ａ−１のアドレスメモリの番号に記憶されている仕分情報が、例えば演算処理装置７の記憶部７ａから仕分制御装置２１に読み出され、該仕分制御装置２１から当該仕分情報に応じた仕分排出信号が所定の排出装置２０ａに出力されて当該排出装置２０ａが作動する。そして、この排出装置２０ａの作動で、農産物Ｗが載せられた受皿３が所定の貯留コンベア２０上に排出されて貯留され、前述したように受皿３上の農産物Ｗが個体ラベル１２付きの状態で箱詰めされて出荷されることになる。
【００６３】
図６は、農産物Ｗに貼付された個体ラベル１２の流通経路における使用方法の一例を示している。以下、これについて説明する。先ず、前記選別装置１で個体情報管理されつつ選別されて出荷されるラベル貼り要の農産物Ｗは、個体情報を示す個体ラベル１２がそれぞれ貼付された状態で箱詰めされて、市場の中間業者や消費者に出荷される。そして、例えば中間業者である販売店等で販売しようとする農産物Ｗの荷受情報等を知りたい場合、あるいは消費者が購入した農産物Ｗの荷受情報等を知りたい場合は、店頭や自宅のパソコン２２等を使用し、インターネット等の通信手段２３を介して、農産物Ｗの個体ラベル１２に印刷されているＵＲＬ１２ｂを入力し、前記選果場のデータベース８にアクセスする。
【００６４】
この時、個体ラベル１２の個体番号１２ａを入力することで、演算処理装置７の記憶部７ａと同様の形態で記憶されているデータベース８の記憶部の第１記憶部〜第３記憶部の個体番号１２ａに対応した各種情報がパソコン２２の画面上に即座に表示される。これにより、消費者等が購入した農産物Ｗの収穫日やほ場等の荷受情報や仕分情報等を確認しつつ安心して消費することができ、農産物Ｗに貼付された個体ラベル１２によって、例えばその収穫から消費までの個体の情報管理を効率的に行うことが可能になる。
【００６５】
このように、上記実施例の選別装置１にあっては、選別コンベア２の要否判定位置にラベル貼り要否を判定するための要否判定用読取装置１３を配置し、この要否判定用読取装置１３の読取信号によりラベル信号制御装置１７でラベル貼り要否の判定が行われ、ラベル貼り要の場合にラベル貼付装置１０の作動が開始される等の制御が行われるため、要否判定用読取装置１３とラベル信号制御装置１７によりラベル貼り要の農産物にのみ、ラベル貼付装置１０で個体ラベル１２を確実かつ効率的に貼付することができ、この個体ラベル１２に基づいて個々の農産物Ｗの管理を効率良く行うことが可能となる。
【００６６】
また、ラベル信号制御装置１７の設定部１７ａに設定されている仕分情報毎の要否に基づいてラベル貼り要否が判定されるため、設定部１７ａに予め仕分情報等に応じて要否を設定することで、ラベル信号制御装置１７でラベル貼り要否を自動的に判定できて、ラベル貼り要と設定（判定）された農産物Ｗに個体ラベル１２を一層確実に貼付することができる。また、要否判定位置の下流側に高さ検出装置１４が配置され、この高さ検出装置１４の高さ情報により、ラベル貼付装置１０の作動が制御されるため、ラベル貼付装置１０のラベル貼付位置を農産物Ｗの高さ情報に応じて的確に設定できて、個体ラベル１２を農産物Ｗの所定のラベル貼付位置に確実かつ良好に貼付することができる。
【００６７】
さらに、ラベル検査装置１５の検査が、要否判定用読取装置１３で読み取られラベル信号制御装置１７で判定された要否判定信号に基づいて行われるため、ラベル検査装置１５をラベル貼り要の農産物についてのみ作動させて検査することができると共に、ラベル貼り要の場合にのみ、ラベル貼付装置１０や高さ検出装置１４を作動させることができて、選果場に配置される各装置を効率的に作動させることができる。また、農産物Ｗが載せられた受皿３を搬送する選別コンベア２がフリートレイ式で、前後の間隔を不定に設定できるため、一定に設定されるバケット式コンベア等に比較して、選別コンベア２における農産物Ｗの搬送効率を高めて、選別作業の処理能力を高めることが可能となる。
【００６８】
またさらに、ラベル貼付装置１０の下流側にラベル検査装置１５が配置されると共に、この検査装置１５の下流側と計測装置４の下流側で要否判定用読取装置１３の上流側間にラベル補正装置１６が配置されているため、ラベル検査装置１５で受皿３上の農産物Ｗの個体ラベル１２の貼付状態が検査され、個体ラベル１２の貼付不良と検査された受皿３を戻しコンベア１６ａで要否判定用読取装置１３の前段に戻すことができて、個体ラベル１２の貼付ミス等により個体ラベル１２の貼付不良の農産物Ｗに個体ラベル１２を確実に再貼付することができる。その結果、個体ラベル１２の貼付の無いあるいは読み取り不良の農産物Ｗがそのまま選別コンベア２で搬送されて仕分位置に供給されることがなくなり、農産物Ｗが箱詰め時に取り出された場合や選別コンベア２上で取り出された場合であっても、その個体ラベル１２によって等階級を確実かつ即座に把握できて当該農産物Ｗの的確な処理が可能となる。
【００６９】
また、農産物Ｗが載せられる受皿３のバーコード５と計測装置４で得られた当該受皿３上の農産物Ｗの仕分情報とが、演算処理装置７を介してラベル信号制御装置１７に出力されると共にデータベース８の記憶部にも記憶されると共に、ラベル信号制御装置１７でリンクされた受皿３のバーコード５と個体ラベル１２の個体番号１２ａとが、データベース８の記憶部にも記憶されるため、例えばデータベース８において、個体ラベル１２から仕分情報を簡単に得ることができる。
【００７０】
特に、リンク状態の受皿３のバーコード５と農産物Ｗの仕分情報及び個体ラベル１２の情報に、生産者や収穫日、選果日、ほ場等の当該農産物Ｗの荷受情報がリンク状態で記憶部７に記憶されるため、例えば個体ラベル１２の情報によって、仕分情報や荷受情報等を検索できる。これらにより、選別装置１が設置される選果場において、個々の農産物Ｗの個体情報管理を合理的かつ確実に行うことが可能となり、従来の選別装置の良さを生かしつつ、個体ラベル１２の貼付とこの貼付された個体ラベル１２とを関連付けて農産物Ｗの個体の情報を管理できて、個々の農産物の効率的かつ合理的な情報管理が可能となる。
【００７１】
また、ラベル検査装置１５の下流側に、戻しコンベア１６ａと排出装置１６ｂ等からなるラベル補正装置１６を設けることで、仕分位置に供給される農産物Ｗに、個体ラベル１２の貼付不良の農産物Ｗを無くすことができるため、ラベル補正装置１６の構成を簡易にしつつ、例えば既存の選果場の選別装置１に容易に付設することができる等、汎用性に優れた個体情報管理システムを得ることができる。また、ラベル検査装置１５が、個体ラベル１２の情報読み取りと個体ラベル１２の貼付不良検査を兼ねるため、ラベル検査装置１５の効率的運用が図れると共に検査装置１５自体の構成の簡略化が図れて、安価な個体情報管理システムを得ることが可能となる。
【００７２】
そして、この選別装置１で得られた受皿３のバーコード５、農産物Ｗの仕分情報、農産物Ｗの荷受情報等を選果場の所定の記憶部に記憶させることで容易にデータベース化できるため、例えば選果場の作業員が所定の情報を入力することで関連する他の情報を即座に検索することができて、管理業務の一層の効率化が図れると共に、個体ラベル１２にＵＲＬ１２ｂを記載することにより、消費者や販売店等において当該農産物Ｗの荷受情報等をインターネット上で簡単かつ即座に把握することができて、消費者等が安心して農産物Ｗを消費することが可能となる。
【００７３】
なお、上記実施例においては、受皿３のバーコード５と当該受皿３上の農産物Ｗの仕分情報とをリンクさせて記憶させることにより、受皿３と関連付けた仕分情報等を記憶させ、バーコード５の固有情報から仕分情報等を読み出したが、本発明はこの方式に限定されず、例えば受皿３自体にＩＣカード・ＩＣタグ等の記憶媒体を備えさせ、この記憶媒体に当該受皿３上の農産物Ｗの仕分情報等を記憶させ、この記憶された受皿３の記憶媒体の情報を読み出すことで各種の情報を得るようにしても良い。
【００７４】
また、記憶部７ａに記憶される各種データは一例であって、例えば受皿３のバーコード５と農産物Ｗの仕分情報及び個体ラベル１２の情報の３つの情報をリンク状態で記憶させるようにして、記憶部７ａの容量増大を防ぐこともできるし、例えば使用した肥料等を情報として記憶させる等、他の各種情報を所定の記憶部に記憶させることもできる。また、貯留コンベア２０の下流側の箱詰め部において、個々の箱毎に設けられた箱の番号と、この箱に収容された農産物個々の個体ラベル１２の個体番号１２ａとをリンクさせて記憶部に記憶させ、さらに箱の番号と、出荷の段階において付与される出荷日、出荷先（市場）、車両番号等の出荷情報を合わせてリンクさせて記憶させること等もできる。こうすることにより、箱番号を選果場等に問い合わせることで、箱内に収容された農産物Ｗ個々の情報を箱の蓋を開けることなく知ることができるし、また、個体ラベル１２からこの個体ラベル１２が貼付された農産物Ｗを収容した箱の番号や出荷情報を知ることができる。
【産業上の利用可能性】
【００７５】
本発明は、農産物以外の各種工業製品等に貼付される個体ラベルにも適用することができる。
【図面の簡単な説明】
【００７６】
【図１】本発明に係わる農産物の個体情報管理システムを使用した選別装置の概略構成図
【図２】同その演算処理装置の記憶部の説明図
【図３】同そのラベル信号制御装置の設定部の説明図
【図４】同農産物が載せられた受皿の正面図
【図５】同その農産物の正面図
【図６】同個体情報管理システムを使用した流通経路の説明図
【符号の説明】
【００７７】
１・・・・・・・・・・選別装置
２・・・・・・・・・・選別コンベア
３・・・・・・・・・・受皿
４・・・・・・・・・・計測装置
５・・・・・・・・・・バーコード
６・・・・・・・・・・受皿情報読取装置
７・・・・・・・・・・演算処理装置
７ａ・・・・・・・・・記憶部
７ａ−１・・・・・・・第１記憶部
７ａ−２・・・・・・・第２記憶部
７ａ−３・・・・・・・第３記憶部
８・・・・・・・・・・データベース
１０・・・・・・・・・ラベル貼付装置
１１・・・・・・・・・貼付機制御装置
１２・・・・・・・・・個体ラベル
１２ａ・・・・・・・・個体番号
１２ｂ・・・・・・・・ＵＲＬ
１２ｃ・・・・・・・・選果場番号
１３・・・・・・・・・要否判定用読取装置
１４・・・・・・・・・高さ検出装置
１５・・・・・・・・・ラベル検査装置
１６・・・・・・・・・ラベル補正装置
１６ａ・・・・・・・・戻しコンベア
１６ｂ・・・・・・・・排出装置
１７・・・・・・・・・ラベル信号制御装置
１７ａ・・・・・・・・設定部
１８、１９・・・・・・受皿情報読取装置
２０・・・・・・・・・貯留コンベア
２２・・・・・・・・・パソコン
２３・・・・・・・・・通信手段
Ｗ・・・・・・・・・・農産物
【図１】
2005088962.tif 000003
【図２】
2005088962.tif 000004
【図３】
2005088962.tif 000005
【図４】
2005088962.tif 000006
【図５】
2005088962.tif 000007
【図６】
2005088962.tif 000008